(57)【特許請求の範囲】
【請求項１】
ケージ（３６）を具備する電気コネクタ組立体であって、前記ケージは、該ケージの内部室（４２）に開放する前端（３８）を有し、前記内部室は、前記前端を通って内部にプラグ脱着可能なモジュール（１２）を受容するよう構成される電気コネクタ組立体において、
前記ケージに係合し該ケージに電気接続されるように、ＥＭＩガスケット（４６）が前記ケージの前記前端に実装され、
前記ＥＭＩガスケットは、前記プラグ脱着可能なモジュールが前記内部室内に受容される際に、前記プラグ脱着可能なモジュールと係合すると共に前記プラグ脱着可能なモジュールに電気接続するよう構成された導電性ばね（１１２）を具備し、
前記ケージの前記前端にブラケット（４８）が実装され、
前記ブラケットは、前記ＥＭＩガスケットの周囲を少なくとも部分的に延び、
前記ブラケットは、前記ケージの前記前端に前記ＥＭＩガスケットを保持するために、前記ＥＭＩガスケットと係合し、
前記ケージは、前記ブラケットの前面と係合して前記ブラケットの前方への移動を防止する第１停止部（９０）と、前記ブラケットの後面と係合して前記ブラケットの後方への移動を防止する第２停止部（９２）とを具備することを特徴とする電気コネクタ組立体。
【請求項２】
前記ＥＭＩガスケットはフランジ（１１６）を具備し、
前記ブラケットは、前記ケージの前記前端に前記ＥＭＩガスケットを保持するために、前記フランジと係合する壁（１２４）を有することを特徴とする請求項１記載の電気コネクタ組立体。
【請求項３】
前記ＥＭＩガスケットはフランジ（１１６）を具備し、
前記ケージは、パネル（１８）の開口（２０）内に実装されるよう構成され、
前記ブラケットは、前記ケージが前記パネルの前記開口内に実装される際に、前記ＥＭＩガスケットのフランジ及び前記パネル間を延びるよう構成された壁（１２４）を具備することを特徴とする請求項１記載の電気コネクタ組立体。
【請求項４】
前記ケージは、外面（８６）及び内面（８４）を具備し、
前記内面は、前記外面と逆向きであると共に前記内部室の境界を区画し、
前記ＥＭＩガスケットは、前記ケージの前記前端で前記内面の少なくとも一部上の前記内部室内に延びる内側部（１０６）を具備し、
前記ＥＭＩガスケットは、前記内側部から延びる外側部（１０８）をさらに具備し、
前記外側部は、前記ケージの前記前端で前記外面の少なくとも一部上に延び、
前記ブラケットは、前記ケージの前記前端に前記ＥＭＩガスケットを保持するために、前記ＥＭＩガスケットの前記外側部と係合することを特徴とする請求項１記載の電気コネクタ組立体。
【請求項５】
前記ケージは壁（７６，７８，８０，８２）を具備し、
前記ＥＭＩガスケットは、前記ケージの前記前端に前記壁を受容するよう構成されたポケット（１１８）を具備することを特徴とする請求項１記載の電気コネクタ組立体。
【請求項６】
前記ＥＭＩガスケットは、前記ケージの前記前端を向く前面（１３０）を有するフランジ（１１６）を具備し、
前記ブラケットは、前記ケージの前記前端から離れる方向を向く後面（１２６）を有する壁を具備し、
前記ＥＭＩガスケットの前記フランジの前記前面は、前記ケージの前記前端に前記ＥＭＩガスケットを保持するために、前記ブラケットの前記壁の前記後面と係合することを特徴とする請求項１記載の電気コネクタ組立体。
【請求項７】
前記ケージは、該ケージの前記前端を向く前面（９６）を有する前記第２停止部（９２）を具備し、
前記ブラケットは、前記ケージの前記前端から離れる方向を向く後面を有する壁を具備し、
前記第２停止部の前記前面は、前記ケージの前記前端に前記ブラケットを保持するために、前記壁の前記後面と係合することを特徴とする請求項１記載の電気コネクタ組立体。
【請求項８】
前記電気コネクタ組立体は、圧縮ガスケット（７０）をさらに具備し、
前記ケージは、パネルの開口内に実装されるよう構成され、
前記ブラケットは壁を具備し、
前記圧縮ガスケットは、前記ケージが前記パネルの前記開口内に実装される際に、前記ブラケットの前記壁及び前記パネル間に挟まれることを特徴とする請求項１記載の電気コネクタ組立体。
【発明の詳細な説明】
【技術分野】
【０００１】
本発明は、電磁干渉（ＥＭＩ）ガスケットを有する電気コネクタ組立体に関する。
【背景技術】
【０００２】
ホスト機器及び外部デバイス間の通信を可能にする様々なタイプの光ファイバ及び銅線ベースのトランシーバ組立体が公知である。これらのトランシーバ組立体は、リセプタクル組立体内に受容されるプラグ脱着可能なモジュールを有するのが代表的である。リセプタクル組立体は、プラグ脱着可能なモジュールに接続するリセプタクルコネクタを有する。プラグ脱着可能なモジュールは寸法及び互換性のための種々の規格に従って構成され、そのうち一つの規格はクワッド・スモール・フォームファクタ・プラガブル（ＱＳＦＰ）モジュール規格である。従来のＱＳＦＰモジュール及びリセプタクル組立体は、毎秒10ギガビット（Gbps）までの速度でデータ信号を問題なく伝送する。別のプラグ脱着可能なモジュール規格、ＸＦＰ規格は、10Gbpsまでの速度でデータ信号を伝送するトランシーバモジュールを提唱する。
【先行技術文献】
【特許文献】
【０００３】
【特許文献１】米国特許第６８１６３７６号明細書
【特許文献２】米国特許第７００１２１７号明細書
【特許文献３】米国特許第７４３８５９６号明細書
【特許文献４】米国特許第７５３９０１８号明細書
【特許文献５】米国特許第７６２５２２３号明細書
【発明の概要】
【発明が解決しようとする課題】
【０００４】
リセプタクル組立体は、内部にプラグ脱着可能なモジュールを受容するポートを有する金属ケージを有するのが代表的である。リセプタクルコネクタは、プラグ脱着可能なモジュールがケージに挿入されると、プラグ脱着可能なモジュールと接続するためにケージ内に保持される。ポートを有するケージの一端は、ケージの内面の周辺に延びる複数のばねを有するのが代表的である。ばねは、モジュールがケージ内に取り付けられる際にプラグ脱着可能なモジュールと係合し、プラグ脱着可能なモジュールをケージに接地する複数の接点を提供することにより、ＥＭＩ放出の阻止を容易にする。ばねは、ケージと異なる材料から製造されることがあり、その後、ケーブルに機械的に取り付けられる。ケージにばねを取り付ける公知の方法は、ばねをケージに半田付け又は溶接することが含まれる。しかし、ばねをケージに半田付け又は溶接することにより、製造コストが増加し、品質管理の問題が生ずるおそれがある。
【０００５】
従って、ＥＭＩを効果的に制御すると共に比較的低コストで製造できる電気コネクタ組立体に対するニーズがある。
【課題を解決するための手段】
【０００６】
この問題は、請求項１に係る電気コネクタ組立体により解決される。
【０００７】
本発明によれば、電気コネクタ組立体はケージを具備し、ケージは、その内部室に開放する前端を有する。内部室は、ケージの前端を通って内部にプラグ脱着可能なモジュールを受容するよう構成される。ＥＭＩガスケットは、ケージに係合しケージに電気接続されるように、ケージの前端に実装される。ＥＭＩガスケットは、プラグ脱着可能なモジュールが内部室内に受容される際に、プラグ脱着可能なモジュールと係合すると共にプラグ脱着可能なモジュールに電気接続するよう構成された導電性ばねを具備する。ブラケットは、ブラケットがＥＭＩガスケットの周囲を少なくとも部分的に延びるように、ケージの前端に実装される。ブラケットは、ケージの前端にＥＭＩガスケットを保持するために、ＥＭＩガスケットと係合する。
【図面の簡単な説明】
【０００８】
【図１】トランシーバ組立体の典型的な一実施形態の分解斜視図である。
【図２】リセプタクル組立体の典型的な一実施形態と嵌合するプラグ脱着可能なモジュールの典型的な一実施形態を示す、図１に示されたトランシーバ組立体の断面図である。
【図３】図１及び図２に示されたトランシーバ組立体のケージの典型的な一実施形態の一部を示す斜視図である。
【図４】図１及び図２に示されたトランシーバ組立体のＥＭＩガスケットの典型的な一実施形態の一部を示す斜視図である。
【図５】図３のケージに実装された図４のＥＭＩガスケットを示す斜視図である。
【図６】図３ないし図５に示されたケージに実装されたブラケットの典型的な一実施形態を示す斜視図である。
【図７】図６とは異なる角度から見た、ケージに実装されたブラケットを示す別の斜視図である。
【発明を実施するための形態】
【０００９】
以下、添付図面を参照して本発明を例示により説明する。
【００１０】
図１は、トランシーバ組立体１０の典型的な一実施形態の一部の斜視図である。この典型的な実施形態において、トランシーバ組立体１０は、とりわけ、ＳＦＰ＋規格で要求される少なくとも10Gbpsのデータ伝送速度等の高速でデータ信号を伝送することに対処するよう構成される。例えば、いくつかの実施形態では、トランシーバ組立体１０は、少なくとも28Gbpsのデータ伝送速度でデータ信号を伝送するよう構成される。また、例えば、いくつかの実施形態では、トランシーバ組立体１０は、約20〜30Gbpsのデータ伝送速度でデータ信号を伝送するよう構成される。しかし、本明細書で説明され図示された本発明の便益及び利点は、他のデータ伝送速度にも多様なシステム及び規格にわたって等しく生ずる。換言すると、本明細書で説明され図示された本発明は、10Gbps以上のデータ伝送速度、規格、本明細書に図示され説明された典型的なタイプのトランシーバ組立体に限定されない。
【００１１】
トランシーバ組立体１０は、ホスト回路基板１６に実装されたリセプタクル組立体１４内にプラグ脱着可能な挿入をするよう構成されたプラグ脱着可能なモジュール１２を具備する。ホスト回路基板１６は、例えばルータ、サーバ、コンピュータ等（但し、これらに限定されない）のホストシステム（図示せず）に実装される。ホストシステムは、パネル１８を有する導電性筐体１７を具備するのが代表的である。パネル１８は、リセプタクル組立体１４とほぼ整合しパネル１８を貫通する開口２０を有する。任意であるが、リセプタクル組立体１４はパネル１８に電気接続される。
【００１２】
プラグ脱着可能なモジュール１２は、リセプタクル組立体１４内に挿入されるよう構成される。具体的には、プラグ脱着可能なモジュール１２は、プラグ脱着可能なモジュール１２の前端２２がリセプタクル組立体１４から外方へ延びるように、パネル開口２０を通ってリセプタクル組立体１４内に挿入される。プラグ脱着可能なモジュール１２はハウジング２４を具備する。ハウジング２４は、その内部に配置された回路基板２６用の保護シェルを形成する。回路基板２６は、公知の方法でトランシーバの機能を果たす回路、トレース、経路、デバイス等を有する。回路基板２６の縁２８は、ハウジング２４の後端３０で露出する。典型的な一実施形態において、ストラドルマウントコネクタ３２（図２参照）が、回路基板２６に実装されると共に、リセプタクル組立体１４のリセプタクルコネクタ３４にプラグ接続するためにハウジング２４の後端３０を通って露出する。コネクタ３２は図１には図示されていない。コネクタ３２の代替として、プラグ脱着可能なモジュール１２の回路基板２６は、リセプタクルコネクタ３４に直接嵌合してもよい。換言すると、いくつかの代替実施形態において、プラグ脱着可能なモジュール１２の回路基板２６の縁２８は、リセプタクルコネクタ３４のリセプタクル５４内に受容され、プラグ脱着可能なモジュール１２をリセプタクルコネクタ３４に電気接続する。
【００１３】
一般に、プラグ脱着可能なモジュール１２及びリセプタクル組立体１４は、ホストシステムと電気信号や光信号と間のインタフェースを要求する用途で使用できる。プラグ脱着可能なモジュール１２は、リセプタクル組立体１４のリセプタクルコネクタ３４を介し、リセプタクル組立体１４を通ってホストシステムに接続される。リセプタクルコネクタ３４は、（「リセプタクル案内フレーム」又は「案内フレーム」とも称されることがある）導電性ケージ３６内に配置される。図１に示されるように、ケージ３６は前端３８を有し、前端３８は、ケージ３６の内部室４２に開放する前開口すなわちポート４０を有する。リセプタクルコネクタ３４は、ケージ３６の後部４４の内部室４２内に位置する。ケージ３６は、リセプタクルコネクタ３４が内部室４２内からホスト回路基板１６（図１及び図２参照）に電気接続できるようにするために、ケージ３６の下壁７８を貫通する開口８８を有する。ケージ３６の内部室４２は、プラグ脱着可能なモジュール１２を内部に受容しリセプタクルコネクタ３４と電気接続するよう構成される。ケージ３６は、プラグ脱着可能なモジュール１２がケージ３６の内部室４２内に過剰に挿入されないように、ケージ３６の長さに沿ってプラグ脱着可能なモジュール１２の行程量(挿入量）の制限を容易にする１個以上の過挿入停止部（over-travel stops）１０２を任意で有する。
【００１４】
ケージ３６の前端３８は、パネル１８の開口２０内に実装され、すなわち受容されるよう構成される。ケージ３６の前端３８には、ＥＭＩガスケット４６が実装される。ＥＭＩガスケット４６は、電磁干渉（ＥＭＩ）放出の低減や阻止を容易にする。以下に詳細に説明するように、ブラケット４８は、ケージ３６の前端３８にＥＭＩガスケット４６を保持するために、ＥＭＩガスケット４６と任意に係合する。ケージ３６及びＥＭＩガスケット４６の組合せは、本明細書では「電気コネクタ組立体」と称されることがある。ケージ３６、ＥＭＩガスケット４６及びブラケット４８の組合せは、本明細書では「電気コネクタ組立体」と称されることがある。
【００１５】
プラグ脱着可能なモジュール１２は、その前端２２のコネクタインタフェース５０を通って１本以上の光ケーブル（図示せず）や１本以上の電気ケーブル（図示せず）に接続する。任意であるが、コネクタインタフェース５０は、ファイバ組立体又はケーブル組立体（図示せず）と協働してファイバ組立体又はケーブル組立体をプラグ脱着可能なモジュール１２に固定する機構を具備する。適当なコネクタインタフェース５０は公知であり、ＬＣ型ファイバコネクタ用及び本出願人が提供するＭＴＰ／ＭＰＯ型ファイバコネクタ用のアダプタが含まれる。
【００１６】
図２は、リセプタクル組立体１４と嵌合するプラグ脱着可能なモジュール１２を示す、トランシーバ組立体１０の断面図である。リセプタクルコネクタ３４はホスト回路基板１６上に実装される。リセプタクルコネクタ３４は、リセプタクル５４を有する誘電性コネクタ本体５２を有する。任意であるが、ストラドルマウントコネクタ３２は回路基板２６の縁２８に実装され、回路基板２６に電気接続される。
【００１７】
リセプタクルコネクタ３４のリセプタクル５４は、その内部にストラドルマウントコネクタ３２のプラグ５６を受容する。リセプタクルコネクタ３４は、電気コンタクト５８及び電気コンタクト６０を具備する。電気コンタクト５８は、リセプタクル５４内に延びると共にストラドルマウントコネクタ３２のプラグ５６の一面６２上の対応する電気コンタクト（図示せず）と係合する。電気コンタクト６０もリセプタクル５４内に延びるが、電気コンタクト６０は、一面６２とは反対側のプラグ５６の面６４上の対応する電気コンタクト（図示せず）と係合する。ストラドルマウントコネクタ３２の電気コンタクトは、回路基板２６の互いに逆の面６６，６８上の対応する導電コンタクトパッド６６，６８（図示せず）にそれぞれ電気接続され、回路基板２６及びホスト回路基板１６を電気接続する。
【００１８】
図１及び図２を参照すると、リセプタクル組立体１４は、ブラケット４８及び圧縮ガスケット７０をさらに具備する。ブラケット４８は図２に最もよく見える。圧縮ガスケット７０は、ケージ３６の前端３８の周囲に延び、ＥＭＩ放出の低減や阻止を容易にする。ケージ３６の前端３８がパネル開口２０内に実装されると、圧縮ガスケット７０はブラケット４８及びパネル１８間に挟まれる。圧縮ガスケット７０は、ブラケット４８及びパネル１８間で少なくとも部分的に圧縮されるよう構成される。より具体的には、プラスチック４８及びパネル１８の側面７２，７４は、圧縮ガスケット７０がそれら側面間で少なくとも部分的に圧縮されるように、圧縮ガスケット７０とそれぞれ係合する。
【００１９】
図３は、ケージ３６の一部を示す斜視図である。図３は、ケージ３６の前端３８を示す。ケージ３６は、前端３８から後端４４（図１参照）まで所定長さで延びる。ケージ３６は、上壁７６、下壁７８及び両側壁８０，８２を有する。これらの壁７６，７８，８０，８２は、内面８４と、内面８４とは逆向きの外面８６とを有する。ケージ３６の内部室４２は壁７６，７８，８０，８２間を延びる。より具体的には、壁７６，７８，８０，８２の内面８４は、内部室４２の境界を区画する。
【００２０】
ケージ３６は、以下に詳細に説明するように、ケージ３６の前端３８にブラケット４８（図１、図２、図６及び図７参照）を保持するための１個以上の停止部９０，９２を有する。各停止部９０は、ケージ３６の後端４４へ向く後面９４を有する。各停止部９２は、ケージ３６の前端３８へ向く前面９６を有する。より具体的には、後面９４は図３の矢印Ａの向きを向くのに対し、前面９６は図３の矢印Ｂの向きを向く。
【００２１】
任意であるが、ケージ３６は、以下に詳細に説明するように、ＥＭＩガスケット４６と協働する１個以上の方向性タブ９８を有する。ケージ３６の上壁７６上に配置されて図示されているが、各壁７８，８０，８２は、追加で又は代わりに１個以上の方向性タブ９８を有してもよい。各壁７６，７８，８０，８２は任意の数の方向性タブ９８を有してもよい。さらに、ケージ３６は、任意の全体数の方向性タブ９８を有してもよい。
【００２２】
典型的な一実施形態において、ケージ３６は、全体で２個の停止部９０及び全体で２個の停止部９２を有する。しかし、ケージ３６は、任意の全体数の停止部９０，９２を有してもよい。さらに、典型的な一実施形態において、側壁８０，８２は各々１個の停止部９０を有し、各壁７６，７８，８０，８２は少なくとも１個の停止部９２を有する。しかし、各壁７６，７８，８０，８２は、任意の数の停止部９０や停止部９２を有してもよい。
【００２３】
ケージ３６は、ケージ３６をホスト回路基板１６、パネル１８や導電性筐体に接地する構造を有する。例えば、ケージ３６は、ケージ３６をホスト回路基板１６に機械的に保持すると共に接地する複数の回路基板タイン部１００を有する。追加して又は代わりに、ケージ３６は、下壁７８から延びてケージ３６をホスト回路基板１６に接地する１個以上の弾性舌片（図示せず）を有してもよい。
【００２４】
ケージ３６は、１個のプラグ脱着可能なモジュール１２をホスト回路基板１６に電気接続するために１個のみの内部室４２及び１個のみのポート４０を有するように図示されているが、任意の数のプラグ脱着可能なモジュール１２をホスト回路基板１６に電気接続するために任意のパターン、構成、配置等（任意の数の行及び列等であるが、これに限定されない）で配列された任意の数の内部室４２及びポート４０を有してもよい。典型的な一実施形態において、ケージ３６は、平行六面体の形状を有するように、壁７６，７８，８０，８２により区画されるほぼ矩形断面形状を有する。しかし、ケージ３６は任意の他の形状を有してもよい。
【００２５】
図４は、ＥＭＩガスケット４６の斜視図である。典型的な一実施形態において、ＥＭＩガスケット４６は、４個の部分、すなわち部分１０４ａ，１０４ｂ，１０４ｃ，１０４ｄを有する。各部分１０４ａ，１０４ｂ，１０４ｃ，１０４ｄは、ケージ３６（図１ないし図３、及び図５ないし図７参照）の前端３８（図１ないし図３、及び図５ないし図７参照）に実装されるよう構成される。より具体的には、部分１０４ａ，１０４ｂ，１０４ｃ，１０４ｄは、ケージ３６の前端３８で壁７６，７８，８０，８２（図３及び図５参照）に実装されるよう構成される。ケージ３６に実装される際に、ＥＭＩガスケット４６の部分１０４ａ，１０４ｂ，１０４ｃ，１０４ｄは、ケージ３６の平行六面体とほぼ合致するほぼ平行六面体形状を形成する。しかし、ＥＭＩガスケット４６は、ＥＭＩガスケット４６の形状がケージ３６の形状と合致するかどうかに関わらず、任意の他の形状を有してもよい。また、ＥＭＩガスケット４６は、ケージ３６の形状に任意に依存する４以外の任意の他の数の部分１０４を有してもよい。
【００２６】
典型的な一実施形態において、部分１０４ａ，１０４ｂ，１０４ｃ，１０４ｄは、互いに分離し独立している。本明細書で使用されているように、「分離し独立」の用語は、部分１０４ａ，１０４ｂ，１０４ｃ，１０４ｄがケージ３６に実装される前に機械的に共に連結されていないことを意味する。しかし、ケージ３６に実装される際に、分離し独立した部分１０４ａ，１０４ｂ，１０４ｃ，１０４ｄは、隣接する部分１０４に機械的に係合し連結されてもよい。いくつかの代替の実施形態において、２個以上の部分１０４ａ，１０４ｂ，１０４ｃ，１０４ｄは、互いに分離し独立してない。換言すると、いくつかの代替の実施形態において、２個以上の部分１０４ａ，１０４ｂ，１０４ｃ，１０４ｄ（例えば、隣接する部分）は、ケージ３６に実装される前に機械的に共に連結される。例えば、いくつかの代替の実施形態において、全ての部分１０４ａ，１０４ｂ，１０４ｃ，１０４ｄは、ケージ３６に実装される前に連続した構造を形成するように、ケージ３６に実装される前に隣接する部分に機械的に連結される。換言すると、いくつかの代替の実施形態において、隣接する部分１０４から分離し独立するものとしての部分１０４ａ，１０４ｂ，１０４ｃ，１０４ｄが設けられていない。隣接する部分１０４が互いに分離し独立していない場合、部分１０４は、一体的に形成されるか、又は個別に形成されてケージ３６に実装される前に機械的に共に連結されてもよい。
【００２７】
各部分１０４は、内側部１０６と、内側部１０６から延びる外側部１０８を有する。より具体的には、部分１０４ａ，１０４ｂ，１０４ｃ，１０４ｄは、内側部１０６ａ，１０６ｂ，１０６ｃ，１０６ｄ及び外側部１０８ａ，１０８ｂ，１０８ｃ，１０８ｄをそれぞれ有する。以下に説明されるように、ＥＭＩガスケット４６がケージ３６に実装される際に、内側部１０６は、ケージ３６の前端３８で内面８４（図３及び図５参照）の少なくとも一部上の内部室４２（図１ないし図３及び図５参照）内に延びる。外側部１０８は、ＥＭＩガスケット４６がケージ３６に実装される際に、ケージ３６の前端３８で外面８６の少なくとも一部上を延びる。
【００２８】
各内側部１０６は、基部１１０と、基部１１０から外方へ延びる複数の個別の導電性ばね１１２とを有する。個別のばね１１２は、対応する基部１１０と一体に形成されてもよいし、対応する基部１１０とは別に製造され、その後、溶接、半田付け、接着剤、機械的固定具等（但し、これらに限定されない）の任意の適当な方法、構造、手段を用いて基部１１０に連結されてもよい。各ばね１１２は、プラグ脱着可能なモジュール１２（図１及び図２参照）のハウジング２４（図１参照）と係合してばね１１２、従って、基部１１０及びＥＭＩガスケット４６全体をプラグ脱着可能なモジュール１２に電気接続するよう構成される。各部分１０４は任意の数のばね１１２を有してもよい。
【００２９】
外側部１０８は、対応する内側部１０６から端１１４まで外方へ所定長さで延びる。ＥＭＩガスケット４６は、１個以上の外側部１０８に１個以上のフランジ１１６を有する。典型的な一実施形態において、各外側部１０８は、その端１１４から外方へ延びる複数のフランジ１１６と有する。部分１０４ｃの外側部１０８ｃ上のフランジ１１６は図示されていない。以下に詳細に説明されるように、フランジ１１６は、ケージ３６の前端３８上にＥＭＩガスケット４６を保持するためにブラケット４８（図１、図２及び図７参照）と係合する。
【００３０】
典型的な一実施形態において、各フランジ１１６は、対応する外側部１０８に対してほぼ90°の角度で対応する外側部１０８から外方へ延びる。しかし、各フランジ１１６は、対応する外側部から外側部１０８に対して非平行な任意の他の角度で外方へ延びてもよい。さらに、フランジ１１６は、対応する外側部１０８の端１１４から延びることに限定されない。むしろ、各フランジ１１６は、対応する外側部１０８の長さに沿った任意の他の位置を有してもよい。各外側部１０８は任意の数のフランジ１１６を有してもよい。例えば、いくつかの代替の実施形態において、１個以上の外側部１０８はフランジ１１６を有していない。ＥＭＩガスケット４６は全体数が任意であるフランジ１１６を有してもよい。
【００３１】
各部分１０４の内側部１０６及び外側部１０８間に、ポケット１１８が区画される。より具体的には、ＥＭＩガスケット４６は、部分１０４ａの内側部１０６ａ及び外側部１０８ａの間に区画されたポケット１１８ａと、部分１０４ｂの内側部１０６ｂ及び外側部１０８ｂの間に区画されたポケット１１８ｂとを有する。ポケット１１８ｃは、部分１０４ｃの内側部１０６ｃ及び外側部１０８ｃの間に区画される。ＥＭＩガスケット４６はまた、部分１０４ｄの内側部１０６ｄ及び外側部１０８ｄの間に区画されたポケット１１８ｄを有する。以下に詳細に説明されるように、これらのポケット１１８は、ケージ３６の前端３８でケージ３６の壁７６，７８，８０，８２（図３及び図５参照）を受容するよう構成される。典型的な一実施形態において、各ポケット１１８はＵ形状をなす。しかし、各ポケット１１８は、追加で又は代わりに任意の他の形状を有してもよい。
【００３２】
任意であるが、ＥＭＩガスケット４６は、以下に詳細に説明されるように、ケージ３６の方向性タブ９８（図３及び図５参照）と協働する１個以上の方向性開口１２０を有する。各部分１０４ｂ，１０４ｃ，１０４ｄは、部分１０４ａの外側部１０８ａに位置するものとして図示されているが、追加で又は代わりに内側部１０６又は外側部１０８に位置する１個以上の方向性開口１２０を有する。部分１０４ａの外側部１０８ａ内に示される方向性開口１２０に追加して又は代わりに、部分１０４ａは、内側部１０６ａに方向性開口を有してもよい。各部分１０４は、任意の数の方向性開口１２０を有してもよい。さらに、ＥＭＩガスケット４６は、全体数が任意である方向性開口１２０を有してもよい。
【００３３】
任意であるが、ＥＭＩガスケット４６全体又はその一部は、ケージ３６とは異なる１以上の材料から製造される。例えば、いくつかの実施形態において、ばね１１２は、ケージ３６とは異なる１以上の材料から製造される。
【００３４】
図５は、ケージ３６の前端３８に実装されたＥＭＩガスケット４６を示す斜視図である。各部分１０４の内側部１０６は、ケージ３６の前端３８で内面８４の少なくとも一部上の内部室４２内に延びる。より具体的には、内側部１０６ａ，１０６ｂ，１０６ｃ，１０６ｄは、ケージ３６の前端３８で壁７６，７８，８０，８２の少なくとも一部上の内部室４２内に延びる。各部分１０４の外側部１０８は、ケージ３６の前端３８で外面８６の少なくとも一部上に延びる。より具体的には、外側部１０８ａ，１０８ｂ，１０８ｃ，１０８ｄは、ケージ３６の前端３８で壁７６，７８，８０，８２の外面８６の少なくとも一部上に延びる。外側部１０８のフランジ１１６は、ケージ３６の前端３８にほぼ向かって、より具体的には図５の矢印Ｂの向きに面する前面１３０を有する。
【００３５】
典型的な一実施形態において、内側部１０６ａ，１０６ｂ，１０６ｃ，１０６ｄの基部１１０は、ＥＭＩガスケット４６がケージ３６に電気接続されるように、各壁７６，７８，８０，８２の内面８４と係合する。内側部１０６ａ，１０６ｂ，１０６ｃ，１０６ｄと内面８４との係合に加えて又は代わって、外側部１０８ａ，１０８ｂ，１０８ｃ，１０８ｄは、各壁７６，７８，８０，８２の外面８６と係合し、ＥＭＩガスケット４６をケージ３６に電気接続する。さらに、いくつかの実施形態において、内側部１０６ａ，１０６ｂ，１０６ｃ，１０６ｄのばね１１２は、例えばプラグ脱着可能なモジュール１２（図１及び図２参照）と係合した後、各壁７６，７８，８０，８２の内側面８４と係合するよう構成される。
【００３６】
ばね１１２は、ばね１１２がプラグ脱着可能なモジュール１２と係合するよう構成されるように、ケージ３６の内部室４２内に延びる。ばね１１２は、ばね１１２がプラグ脱着可能なモジュール１２のハウジング２４（図１参照）と係合してＥＭＩガスケット４６をプラグ脱着可能なモジュール１２に電気接続するインタフェース１２２を有する。図５に見られるように、インタフェース１２２は、プラグ脱着可能なモジュール１２がケージ３６の内部室４２内に受容される際にインタフェース１２２がプラグ脱着可能なモジュール１２のハウジング２４と係合するよう構成されるように、ケージ３６の内部室４２内に延びる。
【００３７】
図５に見られるように、ＥＭＩガスケット４６がケージ３６の前端３８に実装される際に、ケージ３６の前端３８は、ＥＭＩガスケット４６のポケット１１８内に受容される。壁７６，７８，８０，８２は、ＥＭＩガスケット４６の各部分１０４ａ，１０４ｂ，１０４ｃ，１０４ｄのポケット１１８ａ，１１８ｂ，１１８ｃ，１１８ｄ内にそれぞれ受容される。
【００３８】
ＥＭＩガスケット４６がケージ３６に実装される際に、ケージ３６の方向性タブ９８は、ＥＭＩガスケット４６の方向性開口１２０と協働する。具体的には、方向性タブ９８は方向性開口１２０内に受容される。方向性タブ９８及び方向性開口１２０の協働により、ＥＭＩガスケット４６がケージ３６の前端３８に対して意図しない方向のケージ３６の前端３８に実装されることを防止する。換言すると、方向性タブ９８及び方向性開口１２０の協働により、ＥＭＩガスケット４６がケージ３６の前端３８に対して意図した方向のケージ３６の前端に実装されることを確保することを容易にする。典型的な一実施形態において、方向性タブ９８は、スナップ嵌合型の接続で方向性開口１２０内に受容される。しかし、方向性タブ９８及び方向性開口１２０の間に、他のタイプの接続を追加して又は代わりに設けてもよい。さらに、典型的な実施形態に追加して又は代わりに、ケージ３６は、ＥＭＩガスケット４６の１個以上の方向性タブ（図示せず）と協働する１個以上の方向性開口（図示せず）を有してもよい。
【００３９】
図６は、ケージ３６に実装されたブラケット４８を示す斜視図である。ブラケット４８は、ブラケット４８がＥＭＩガスケット４６の周囲に少なくとも部分的に延びるように、ケージ３６の前端３８に実装される。ブラケット４８は複数の壁１２４を有する。典型的な一実施形態において、ブラケット４８は４個の壁１２４ａ，１２４ｂ，１２４ｃ，１２４ｄを有する。図６に見られるように、ブラケット４８の壁１２４ａ，１２４ｂ，１２４ｃ，１２４ｄは、ＥＭＩガスケット４６の部分壁１０４ａ，１０４ｂ，１０４ｃ，１０４ｄ上をそれぞれ延びる。ブラケット４８の壁１２４は前面７２を有する。ブラケット４８の壁１２４はまた、反対側の後面１２６を有する。前面７２は、ケージ３６の前端３８にほぼ向かって、より具体的には図６の矢印Ｂの向きを向く。後面１２６は、ケージ３６の後端４４（図１及び図２参照）にほぼ向かって、より具体的には図６の矢印Ａの向きを向く。
【００４０】
ケージ３６の停止部９０は、ブラケット４８と係合してケージ３６の前端３８にブラケット４８を保持する。各停止部９０の後面９４は、ブラケット４８の前面７２と係合して、矢印Ｂの向きにケージ３６の長さに沿ってブラケット４８が移動することを防止する。このため、停止部９０は、矢印Ｂの向きにケージ３６の前端３８からブラケット４８が移動することを防止する。任意であるが、図６に見られるように、停止部９０は、ＥＭＩガスケット４８の対応する切欠１２８を貫通する。
【００４１】
典型的な一実施形態において、ブラケット４８の４個の壁１２４ａ，１２４ｂ，１２４ｃ，１２４ｄは、ケージ３６及びＥＭＩガスケット４６の矩形断面形状とほぼ一致するほぼ矩形形状を形成する。しかし、ブラケット４８は、ブラケット４８の形状がケージ３６やＥＭＩガスケット４６の形状と一致するかどうかに関わらず、任意の他の形状をなしてもよい。さらに、ブラケット４８は、ケージ３６やＥＭＩガスケット４６の形状に任意で依存する、４個以外の任意の他の数の壁１２４を有してもよい。
【００４２】
図７は、図６とは異なる角度から見た、ケージ３６に実装されたブラケット４８を示す別の斜視図である。ブラケット４８は、ＥＭＩガスケット４６と係合して、ケージ３６の前端３８にＥＭＩガスケット４６を保持する。より具体的には、ブラケット４８は、ＥＭＩガスケット４６の外側部１０８と係合して、ケージ３６にＥＭＩガスケット４６を保持する。ブラケット４８は、フランジ１１６で外側部１０８と係合する。ブラケット４８の後面１２６は、フランジ１１６の前面１３０と係合し、矢印Ｂの向きにケージ３６の長さに沿ってＥＭＩガスケット４６が移動することを防止する。このため、フランジ１１６及びブラケット４８の係合は、矢印Ｂの向きにケージ３６の前端３８からＥＭＩガスケット４６が移動することを防止する。
【００４３】
ケージ３６の停止部９２は、ブラケット４８と係合して、ケージ３６の前端３８にブラケット４８を保持する。より具体的には、各停止部９２の前面９６は、ブラケット４８の後面１２６と係合し、矢印Ａの向きにケージ３６の長さに沿ってブラケット４８が移動することを防止する。このため、停止部９２は、ケージ３６の後端４４（図１ないし図２参照）の方へ矢印Ａの向きにブラケット４８が移動することを防止する。図２及び図７の比較から明白であるように、ブラケット４８の壁１２４は、ケージ３６の前端３８がパネル開口２０内に実装される際に、ＥＭＩガスケット４６のフランジ１１６及びパネル１８間を延びる。
【００４４】
本明細書に記載され図示された実施形態は、ケージ上にＥＭＩガスケットを保持すると共にケージ上の所定位置に圧縮ガスケットを保持するブラケットを提供する。本明細書に記載され図示された実施形態は、より信頼性が高く、品質問題がより少なく、製造コストが安価なケージやトランシーバ組立体を提供する。
【符号の説明】
【００４５】
１２    プラグ脱着可能なモジュール
１８    パネル
２０    開口
３６    ケージ
３８    前端
４２    内部室
４６    ＥＭＩガスケット
４８    ブラケット
７０    圧縮ガスケット
７６    壁
７８    壁
８０    壁
８２    壁
８４    内面
８６    外面
９０    停止部
９２    停止部
９６    前面
１０６  内側部
１０８  外側部
１１２  導電性ばね
１１６  フランジ
１１８  ポケット
１２４  壁
１２６  後面
１３０  前面
【図１】
0006053377.tif 000002
【図２】
0006053377.tif 000003
【図３】
0006053377.tif 000004
【図４】
0006053377.tif 000005
【図５】
0006053377.tif 000006
【図６】
0006053377.tif 000007
【図７】
0006053377.tif 000008